(57)【要約】      （修正有）【課題】ペットの排泄時に、糞が路上に落下する前に捕獲袋によって捕獲し、捕獲後に、前記捕獲袋の開口部を即座に閉じるようにして、前記捕獲袋を取り外すことなく散歩を継続することのできるペット用糞取り器を提供する。【解決手段】棒状の柄２と、この柄にその長さ方向に沿って摺動可能に取り付けられた可動部材３と、柄の先端部および可動部材のそれぞれに一体に取り付けられ、相互に平行に保持されるとともにその間に捕獲袋の開口部が位置させられる一対の袋保持腕５・６と、これらの袋保持腕に捕獲袋４の開口部を固定する把持部材７とを備えている。【選択図】図２
0003183003.tif 000002
【実用新案登録請求の範囲】
【請求項１】
ペットの糞の排泄時に、落下する前記糞の下方に捕獲袋を位置させて前記糞を捕獲するようにしたペット用糞取り器であって、棒状の柄と、この柄にその長さ方向に沿って摺動可能に取り付けられた可動部材と、前記柄の先端部および前記可動部材のそれぞれに一体に取り付けられ、相互に平行に保持されるとともにその間に前記捕獲袋の開口部が位置させられる一対の袋保持腕と、これらの袋保持腕に前記捕獲袋の開口部を固定する把持部材とを備え、前記可動部材の摺動操作により、前記一対の袋保持腕に支持されている前記捕獲袋の開口部を開閉可能としたことを特徴とするペット用糞取り器。
【請求項２】
前記把持部材が、前記袋保持腕に一体に設けられ、前記捕獲袋の開口部を挟持するようになされていることを特徴とする請求項１に記載のペット用糞取り器。
【請求項３】
前記把持部材が、前記袋保持腕と別体に設けられ、前記捕獲袋の開口部を前記袋保持腕とともに挟持するようになされていることを特徴とする請求項１に記載のペット用糞取り器。
【考案の詳細な説明】
【技術分野】
【０００１】
本考案は、犬等のペットが排泄する糞を、その落下の途中で捕獲するようにしたペット用糞取り器に関するものである。
【背景技術】
【０００２】
犬等のペットは、毎日の散歩を欠かすことができず、飼い主は、散歩時のペットの排泄物の処理、特に、糞の処理が日課となっている。
【０００３】
そして、前述した糞の処理を行なう場合、路上に屈み込んで糞を拾う動作を行なわなければならないが、その姿勢が窮屈であることから、飼い主の散歩の際の負担となっている。
【０００４】
また、路上に落下した糞を処理する場合、糞をきれいに拾い上げることができず、道路を汚してしまうこともある。
【０００５】
このような不具合を防止するために、たとえば、特許文献１に示されるように、柄の先端にリングを取り付け、このリングに捕獲袋を装着しておき、ペットの排泄時に、前記捕獲袋をペットのお尻の下に差し入れて、落下する糞を、路上に落下する前に捕獲するようにした糞取り器が提案されている。
【先行技術文献】
【特許文献】
【０００６】
【特許文献１】特開２０１２−８５６２１号公報
【考案の概要】
【考案が解決しようとする課題】
【０００７】
ところで、前述した従来の糞取り器にあっては、前記捕獲袋をリングから取り外す際に、前記捕獲袋の開口部が開いた状態であることから、捕獲した後、前記捕獲袋をすぐに取り外してその開口部を結ぶ必要がある。
しかしながら、このような捕獲袋の処理の間、散歩を中断しなければならない。
【０００８】
本考案は、前述した従来の技術において残されている問題点に鑑みてなされたもので、ペットの排泄時に、糞が路上に落下する前に捕獲袋によって捕獲し、捕獲後に、前記捕獲袋の開口部を即座に閉じるようにして、前記捕獲袋を取り外すことなく散歩を継続することのできるペット用糞取り器を提供することを課題とする。
【課題を解決するための手段】
【０００９】
本考案の請求項１に記載のペット用糞取り器は、ペットの糞の排泄時に、落下する前記糞の下方に捕獲袋を位置させて前記糞を捕獲するようにしたペット用糞取り器であって、棒状の柄と、この柄にその長さ方向に沿って摺動可能に取り付けられた可動部材と、前記柄の先端部および前記可動部材のそれぞれに一体に取り付けられ、相互に平行に保持されるとともにその間に前記捕獲袋の開口部が位置させられる一対の袋保持腕と、これらの袋保持腕に前記捕獲袋の開口部を固定する把持部材とを備え、前記可動部材の摺動操作により、前記一対の袋保持腕に支持されている前記捕獲袋の開口部を開閉可能としたことを特徴としている。
【００１０】
このような構成とすることにより、前記一対の袋保持腕間に捕獲袋の開口部を位置させるとともに、この開口部を、前記把持部材で前記各袋保持腕に固定することにより、前記捕獲袋を前記柄に装着する。
【００１１】
そして、糞の処理を行なう際には、前記可動部材と前記柄とを相対移動させることにより、前記両袋保持腕を離間する方向に移動させて、前記捕獲袋の開口部を大きく開いた状態とし、その開いた開口部を、ペットのお尻の下方に差し入れる。
これによって、落下する糞を前記捕獲袋内に捕獲することができる。
【００１２】
一方、糞を確保した後は、前記可動部材を逆方向に移動させることにより、前記両袋保持腕を、両者が当接する位置まで移動させ、これによって、両袋保持腕間に保持されている前記捕獲袋の開口部を閉じることができる。
【００１３】
したがって、糞の捕獲後に、前記捕獲袋を取り外して開口部を結ぶ作業を行なうことなく、前記捕獲袋を即座に閉じた状態とすることができる。
【００１４】
この結果、ペットの散歩の中断時間を最小限度に止めることができ、散歩を終えた際に、前記把持部材を操作して前記捕獲袋を取り外してその開口部を結んで廃棄することができる。
【００１５】
そして、請求項２に記載のように、前記把持部材を、前記袋保持腕に一体に設けて、前記捕獲袋の開口部のみを挟持するようにすることができ、また、請求項３に記載のように、前記把持部材を、前記袋保持腕と別体に設けておき、前記捕獲袋の開口部を前記袋保持腕とともに挟持するようにすることもできる。
【考案の効果】
【００１６】
このように、本考案のペット用糞取り器によれば、糞の処理を立ったままで行なうことができるとともに、糞の捕獲後は、糞を捕獲した捕獲袋の開口部を即座に閉じた状態に保持することができ、これによって、糞を捕獲した捕獲袋を装着したまま散歩を継続することができる。
【図面の簡単な説明】
【００１７】
【図１】本考案の一実施形態を示す外観斜視図である。
【図２】本考案の一実施形態を示すもので、捕獲袋を装着しその開口部を広げた状態を示す外観斜視図である。
【図３】本考案の一実施形態を示すもので、使用状態を示す外観斜視図である。
【図４】本考案の一実施形態を示すもので、糞を捕獲した後、捕獲袋を閉じた状態を示す外観斜視図である。
【図５】本考案の一実施形態を示すもので、糞を捕獲した後、捕獲袋を取り外す手順を示す外観斜視図である。
【考案を実施するための形態】
【００１８】
以下、本考案の一実施形態を図１ないし図５を参照して説明する。
図１において符号１で示す本実施形態のペット用糞取り器は、棒状の柄２と、この柄２にその長さ方向に沿って摺動可能に取り付けられた可動部材３と、前記柄２の先端部および前記可動部材３のそれぞれに一体に取り付けられ、相互に平行に保持されるとともにその間に糞の捕獲袋４（図２参照）の開口部が位置させられる一対の袋保持腕５・６と、これらの袋保持腕に前記捕獲袋の開口部を固定する把持部材７とを備えている。
【００１９】
前記柄２は、本実施形態においては、断面が矩形状に形成されており、この柄２に取り付けられる可動部材３には前記柄２の断面形状とほぼ同一形状の貫通孔３ａが形成され、この貫通孔３ａ内に前記柄２が摺動可能に嵌合させられることによって、両者が軸回りの回動を拘束された状態で組み上げられている。
【００２０】
前記袋保持腕５・６は、それぞれ、前記柄２および可動部材３の側部に一体に、かつ、相互に平行となるように設けられている。
【００２１】
前記把持部材７は、本実施形態においては、２枚の金属板７ａ・７ｂを回動可能に連結した蝶番状に構成されており、一方の金属板７ａに非磁性材料（図示略）を介して磁石８が固定されている。
【００２２】
そして、前記把持部材７は４個設けられ、前記各袋保持腕５・６に一組ずつ一体に取り付けられており、前記磁石８の磁力によって前記両金属板７ａ・７ｂが重畳位置に保持されるようになっている。
【００２３】
このように構成された本実施形態のペット用糞取り器１は、図１に示すように、前記柄２に対して前記可動部材３を移動させることにより、前記両袋保持腕５・６が所定間隔となるように位置させ、これらの袋保持腕５・６間に、図２に示すように、前記捕獲袋４の開口部を位置させるとともに、その開口部を前記複数の把持部材７の両金属板７ａ・７ｂ間に位置させ、さらに、一方の金属板７ｂを他方の金属板７ａと重畳する位置に回動させることにより、前記捕獲袋４の開口部を固定する。
【００２４】
ここで、前記両金属板７ａ・７ｂは、前記磁石８の磁力によって吸着されて、前述した重畳状態を維持し、これによって、前記捕獲袋４の開口部が固定される。
【００２５】
そして、ペットＰが排泄動作を始めた場合にあっては、図３に示すように、開放状態にある捕獲袋４をペットＰのお尻の下方に差し入れる。
これによって、落下する糞を前記捕獲袋４によって捕獲することができる。
【００２６】
糞を捕獲した後には、前記可動部材３を前記柄２に対して移動させて、前記両袋保持腕５・６を当接する位置まで移動させる。
これによって、前記捕獲袋４の開口部が、図４に示すように、閉じた状態に保持される。
この結果、捕獲した糞のこぼれを防止しつつ散歩を継続することができる。
【００２７】
また、散歩を終えて糞の処理を行なう場合にあっては、図５に示すように、前記両袋保持腕５・６を若干離間する位置まで移動させるとともに、前記各把持部材７を、前記磁石の吸引力に抗して開くことにより、前記捕獲袋４の固定を解除する。
【００２８】
ついで、図５に破線で示すように、前記捕獲袋４を前記両袋保持腕５・６から取り外し、その開口部を縛った後に廃棄処理する。
【００２９】
なお、前記実施形態においては、前記把持部材７を、前記袋保持腕５・６に一体に設けた例について示したが、これに代えて、前記把持部材を前記袋保持腕５・６と別体に設けておき、前記捕獲袋４の開口部を前記袋保持腕５・６とともに挟持するようにすることもできる。
【００３０】
この際の把持部材としては、洗濯ばさみや目玉クリップ、あるいは、ダブルクリップ等が用いられる。
【符号の説明】
【００３１】
１  ペット用糞取り器
２  柄
３  可動部材
３ａ  貫通孔
４  捕獲袋
５  袋保持腕
６  袋保持腕
７  把持部材
７ａ  金属板
７ｂ  金属板
８  磁石
【図１】
0003183003.tif 000003
【図２】
0003183003.tif 000004
【図３】
0003183003.tif 000005
【図４】
0003183003.tif 000006
【図５】
0003183003.tif 000007